(57)【要約】【課題】空調能力を維持しつつ、人に対して不快感を与えるのを抑制し、しかも消費電力の増加を抑制することもできる空気調和機用の室外機を提供する。【解決手段】制御部３０は、前記予め定められた範囲の空間にセンサ１９により人が検知されたことを条件に含む変更条件を満たさないと判断したときには、吹出口１３からの空気の吹出方向を、ファン１７の消費電力を抑制する予め設定された基準方向に合わせる制御を行い、前記変更条件を満たすと判断したときには、前記吹出方向をルーバ４３により前記基準方向よりも上方又は下方に向ける制御を行う。【選択図】図５
2011038668.tif 000002
【特許請求の範囲】
【請求項１】
側部に吹出口（１３）を有するケーシング（１５）と、
このケーシング（１５）の内部に空気を吸い込み、この空気を前記吹出口（１３）から吹き出すために前記ケーシング（１５）の内部に配設されたファン（１７）と、
前記ケーシング（１５）の外部における予め定められた範囲の空間に人が存在するか否かを検知可能なセンサ（１９）と、
前記吹出口（１３）からの空気の吹出方向を変更可能な可変機構（４３）と、
この可変機構（４３）による前記吹出方向の変更の要否を判断する制御部（３０）と、を備え、
前記制御部（３０）は、前記予め定められた範囲の空間に前記センサ（１９）により人が検知されたことを条件に含む変更条件を満たさないと判断したときには、前記吹出方向を、前記ファン（１７）の消費電力を抑制する予め設定された基準方向に合わせる制御を行い、前記変更条件を満たすと判断したときには、前記吹出方向を前記可変機構（４３）により前記基準方向よりも上方又は下方に向ける制御を行う、空気調和機用の室外機。
【請求項２】
前記変更条件は、前記予め定められた範囲の空間に存在する人から前記吹出口（１３）までの前記基準方向の距離が所定値以下であることを条件としてさらに含む、請求項１に記載の空気調和機用の室外機。
【請求項３】
前記センサ（１９）は、前記予め定められた範囲の空間内を移動する人についての移動中の異なる２つの位置を検知可能であり、
前記制御部（３０）は、前記センサ（１９）による検知結果に基づいて前記人の動きを判別することにより前記吹出口（１３）に近づく人が存在するか否かを判断し、
前記変更条件は、前記吹出口（１３）に近づく人が存在することを条件としてさらに含み、
前記制御部（３０）は、前記変更条件を満たすと判断したときに、前記吹出方向を前記可変機構（４３）により前記基準方向よりも上方又は下方に向ける制御を行う、請求項１又は２に記載の空気調和機用の室外機。
【請求項４】
前記センサ（１９）は、前記予め定められた範囲の空間内を移動する人についての移動中の異なる２つの位置を検知可能であり、
前記制御部（３０）は、前記センサ（１９）による検知結果に基づいて前記人の移動方向を判別することにより前記吹出口（１３）から吹き出される空気が届く空間内に前記人が到達するか否かを判断し、
前記変更条件は、前記空気が届く空間内に前記人が到達することを条件としてさらに含み、
前記制御部（３０）は、前記変更条件を満たすと判断したときに、前記吹出方向を前記可変機構（４３）により前記基準方向よりも上方又は下方に向ける制御を行う、請求項１又は２に記載の空気調和機用の室外機。
【請求項５】
前記制御部（３０）は、前記２つの位置の検知結果に基づいて前記人の移動速度を算出し、この移動速度に基づいて、前記吹出口（１３）から吹き出される空気が届く空間内に前記人が到達するまでの時間を算出し、この時間が経過する前に前記吹出方向を前記可変機構（４３）により前記基準方向よりも上方又は下方に向ける制御を行う、請求項３に記載の空気調和機用の室外機。
【請求項６】
前記センサ（１９）は、前記予め定められた範囲の空間に存在する人の顔の位置を検知可能であり、
前記制御部（３０）は、前記変更条件を満たすと判断したときに、前記センサ（１９）により検知された前記人の顔の位置に基づいて、前記吹出口（１３）から吹き出される空気が前記人の顔に当たるのを抑制可能な方向を上方又は下方から選択し、選択された方向に前記吹出方向を向ける制御を行う、請求項１又は２に記載の空気調和機用の室外機。
【請求項７】
前記可変機構（４３）は、前記ケーシング（１５）の前記吹出口（１３）に設けられた複数のルーバを含み、
前記制御部（３０）は、前記変更条件を満たすと判断したときに、前記人の顔の位置に基づいて、前記吹出口（１３）から吹き出される空気が前記人の顔に当たるのを抑制可能な予め定められた各ルーバの方向をそれぞれ選択し、選択された各方向に各ルーバの向きを向ける制御を行う、請求項６に記載の空気調和機用の室外機。
【請求項８】
前記変更条件は、前記センサ（１９）による単位時間当たりの人の検知数が所定値以下であることを条件としてさらに含む、請求項１〜７のいずれかに記載の空気調和機用の室外機。
【請求項９】
前記変更条件は、１日のうちで予め定められた時間帯であることを条件としてさらに含む、請求項１〜８のいずれかに記載の空気調和機用の室外機。
【発明の詳細な説明】
【技術分野】
【０００１】
本発明は、空気調和機用の室外機に関するものである。
【背景技術】
【０００２】
一般に、空気調和機は、屋内に設置される室内機と屋外に設置される室外機とを備えている。この室外機は、吸込口及び吹出口を有するケーシング、このケーシングの内部に収容された熱交換器、ファンなどを備えている。このファンが駆動すると、吸込口からケーシングの内部に空気が吸い込まれ、この空気が熱交換器において熱交換された後、吹出口を通じてケーシングの外部に吹き出される。このような室外機は、庭、バルコニー、ビルの屋上などの様々な場所に設置される。
【０００３】
ところが、室外機は、例えば道路沿いなどように人が通行する場所の近辺に設置される場合もある。この場合には、室外機の吹出口から吹き出される空気が人に当たると、その人に対して不快感を与えることがある。
【０００４】
この対策としては、例えば吹出口に風向調整板を取り付けることにより、空気の吹出方向を所定の方向に調整する方法が知られている。
【０００５】
また、他の対策として、人感知センサが人を検知したときに送風機の送風量を低下させたり、圧縮機の容量を低下させたりすることにより、人に対して不快感を与えにくくする技術が提案されている（例えば特許文献１）。
【先行技術文献】
【特許文献】
【０００６】
【特許文献１】特開２００４−２９４０３２号公報
【発明の概要】
【発明が解決しようとする課題】
【０００７】
しかしながら、上記したように吹出口に風向調整板を取り付けると、この風向調整板が空気の流れの抵抗となるので、ファンの電動機への負荷が大きくなる。したがって、風向調整板を取り付けていない場合と比較して消費電力が増加する。
【０００８】
また、特許文献１の室外機では、人が検知されたときに送風機の送風量を低下させたり、圧縮機の容量を低下させたりするので、その間は冷房、暖房などの空調能力が低下する。
【０００９】
そこで、本発明は、かかる点に鑑みてなされたものであり、その目的とするところは、消費電力の増加及び空調能力の低下を抑制しつつ、人に対して不快感を与えるのを抑制することができる空気調和機用の室外機を提供することにある。
【課題を解決するための手段】
【００１０】
本発明の空気調和機用の室外機は、側部に吹出口（１３）を有するケーシング（１５）と、このケーシング（１５）の内部に空気を吸い込み、この空気を前記吹出口（１３）から吹き出すために前記ケーシング（１５）の内部に配設されたファン（１７）と、前記ケーシング（１５）の外部における予め定められた範囲の空間に人が存在するか否かを検知可能なセンサ（１９）と、前記吹出口（１３）からの空気の吹出方向を変更可能な可変機構（４３）と、この可変機構（４３）による前記吹出方向の変更の要否を判断する制御部（３０）と、を備えている。前記制御部（３０）は、前記予め定められた範囲の空間に前記センサ（１９）により人が検知されたことを条件に含む変更条件を満たさないと判断したときには、前記吹出方向を、前記ファン（１７）の消費電力を抑制する予め設定された基準方向に合わせる制御を行い、前記変更条件を満たすと判断したときには、前記吹出方向を前記可変機構（４３）により前記基準方向よりも上方又は下方に向ける制御を行う。
【００１１】
この構成では、前記変更条件が満たされていない場合には、ファン（１７）の消費電力を抑制する予め設定された基準方向に空気の吹出方向が調整される。この基準方向は、ファン（１７）の電動機への負荷が小さく抑えられるように、例えばファンがプロペラファンである場合にはその回転軸に対して略平行な方向（例えば略水平方向）に設定される。一方で、前記変更条件、すなわち前記予め定められた範囲の空間にセンサ（１９）により人が検知されたことを条件に含む変更条件が満たされている場合には、前記可変機構（４３）により空気の吹出方向が前記基準方向よりも上方又は下方に調整される。したがって、送風量や圧縮機の容量を低下させなくても吹出口（１３）から吹き出される空気が人に当たるのを抑制できる。前記吹出方向は、例えば吹出口（１３）の高さ、人の体格などに応じて上方又は下方に調整される。
【００１２】
したがって、本構成によれば、消費電力の増加及び空調能力の低下を抑制しつつ、人に対して不快感を与えるのを抑制することができる。
【００１３】
また、前記変更条件は、前記予め定められた範囲の空間に存在する人から前記吹出口（１３）までの前記基準方向の距離が所定値以下であることを条件としてさらに含んでいてもよい。吹出口（１３）から吹き出される空気は、吹出口（１３）から離れるにつれて速度が小さくなって人が感じにくくなる。したがって、この構成では、人から吹出口（１３）までの基準方向の距離が前記所定値以下であるという条件もさらに満たす場合に吹出方向を基準方向から上方又は下方に向ける制御を行う。前記所定値は、例えば吹出口（１３）からの空気の流れを人がほとんど感じない程度の距離（例えば１．５ｍ〜２ｍ程度）に設定することができる。これにより、仮にセンサ（１９）が予め定められた範囲の空間に人を検知した場合であっても、基準方向の距離が前記所定値を超える場合には、制御部（３０）は変更条件を満たさないとして吹出方向を変更しないように制御するので、吹出方向の変更の頻度を抑制して消費電力抑制効果をより高めることができる。
【００１４】
また、前記センサ（１９）は、前記予め定められた範囲の空間内を移動する人についての移動中の異なる２つの位置を検知可能であり、前記制御部（３０）は、前記センサ（１９）による検知結果に基づいて前記人の動きを判別することにより前記吹出口（１３）に近づく人が存在するか否かを判断し、前記変更条件は、前記吹出口（１３）に近づく人が存在することを条件としてさらに含んでいてもよい。この場合には、前記制御部（３０）は、前記変更条件を満たすと判断したときに、前記吹出方向を前記可変機構（４３）により前記基準方向よりも上方又は下方に向ける制御を行う。
【００１５】
この構成では、前記センサ（１９）による検知結果に基づいて前記人の動きを判別することにより前記吹出口（１３）に近づく人が存在するか否かを判断することができ、前記吹出口（１３）に近づく人が存在する場合に、前記吹出方向を前記可変機構（４３）により前記基準方向よりも上方又は下方に向ける。すなわち、吹出口（１３）に近づく人を検知可能であるので、この人が吹出口（１３）に最接近する前に吹出方向を予め調整しておくことができる。これにより、人に対して不快感を与えるのを抑制する効果がより高められる。
【００１６】
また、前記センサ（１９）は、前記予め定められた範囲の空間内を移動する人についての移動中の異なる２つの位置を検知可能であり、前記制御部（３０）は、前記センサ（１９）による検知結果に基づいて前記人の移動方向を判別することにより前記吹出口（１３）から吹き出される空気が届く空間内に前記人が到達するか否かを判断し、前記変更条件は、前記空気が届く空間内に前記人が到達することを条件としてさらに含んでいてもよい。この場合には、前記制御部（３０）は、前記変更条件を満たすと判断したときに、前記吹出方向を前記可変機構（４３）により前記基準方向よりも上方又は下方に向ける制御を行う。
【００１７】
この構成では、前記センサ（１９）による検知結果に基づいて前記人の移動方向を判別することにより前記吹出口（１３）から吹き出される空気が届く空間内に前記人が到達すると判断した場合に前記吹出方向を前記基準方向よりも上方又は下方に向ける。このように、前記空気が届く空間内に人が到達するか否かの予測に基づいて吹出方向の変更要否が判断されるので、吹出方向の変更をその必要性が高い場合に絞って変更の頻度を低く抑えることができる。これにより、消費電力抑制効果をさらに高めることができる。
【００１８】
具体的には、例えば、前記制御部（３０）は、前記２つの位置の検知結果に基づいて前記人の移動速度を算出し、この移動速度に基づいて、前記吹出口（１３）から吹き出される空気が届く空間内に前記人が到達するまでの時間を算出し、この時間が経過する前に前記吹出方向を前記可変機構（４３）により前記基準方向よりも上方又は下方に向ける制御を行うようにしてもよい。これにより、吹出口（１３）から吹き出される空気が届く空間内に人が到達する前に吹出方向が調整されるので、人に対して不快感を与えるのを抑制する効果がさらに高められる。
【００１９】
また、前記センサ（１９）は、前記予め定められた範囲の空間に存在する人の顔の位置を検知可能であり、前記制御部（３０）は、前記変更条件を満たすと判断したときに、前記センサ（１９）により検知された前記人の顔の位置に基づいて、前記吹出口（１３）から吹き出される空気が前記人の顔に当たるのを抑制可能な方向を上方又は下方から選択し、選択された方向に前記吹出方向を向ける制御を行う。
【００２０】
この構成では、特に不快に感じやすい顔に空気が当たりにくいように制御を行うことができるので、人に対して不快感を与えるのを抑制する効果がさらに高められる。
【００２１】
また、前記可変機構（４３）は、前記ケーシング（１５）の前記吹出口（１３）に設けられた複数のルーバを含んでいてもよい。この場合には、前記制御部（３０）は、前記変更条件を満たすと判断したときに、前記人の顔の位置に基づいて、前記吹出口（１３）から吹き出される空気が前記人の顔に当たるのを抑制可能な予め定められた各ルーバの方向をそれぞれ選択し、選択された各方向に各ルーバの向きを向ける制御を行う。
【００２２】
この構成では、人の顔の位置に基づいて各ルーバの向きを個別に調整するので、人の顔の位置に基づいたよりきめ細かい制御を行うことができる。また、場合によっては複数のルーバのうちの一部のルーバの向きを調整するだけで吹出口（１３）から吹き出される空気が人の顔に当たるのを抑制できる。これにより、人に対して不快感を与えるのを抑制するのに必要な一部のルーバの向きを調整する一方で、残りのルーバは空気が基準方向に吹き出される向きのままに維持されるので、消費電力の抑制効果をさらに高めることができる。
【００２３】
また、前記変更条件には、単位時間当たりの人の検知数が所定値以下であることが条件としてさらに含められていてもよい。すなわち、通行人の数が多い場合に吹出方向の変更が頻繁に行われると、消費電力の抑制効果が十分に得られないか、場合によっては消費電力が増加することもある。そこで、本構成では、単位時間当たりの人の検知数が所定値を超える場合には吹出方向の変更を行わないように制御する。これにより、過剰な又は不要な制御が行われるのを抑制して消費電力の抑制効果をより確実に得ることができる。
【００２４】
また、前記変更条件には、１日のうちで予め定められた時間帯であることが条件としてさらに含められていてもよい。本構成では、例えば通行人の多いラッシュ時間帯などを除く時間帯であることを変更条件に含めることにより、上記と同様に、過剰な又は不要な制御が行われるのを抑制して消費電力の抑制効果をより確実に得ることができる。
【発明の効果】
【００２５】
以上説明したように、本発明によれば、消費電力の増加及び空調能力の低下を抑制しつつ、人に対して不快感を与えるのを抑制することができる。
【図面の簡単な説明】
【００２６】
【図１】本発明の一実施形態にかかる室外機を示す正面図である。
【図２】図１のII-II線断面図である。
【図３】前記室外機の制御ブロック図である。
【図４】前記室外機の制御例１を示す平面図である。
【図５】制御例１を示すフローチャートである。
【図６】前記室外機の制御例２を示す平面図である。
【図７】制御例２を示すフローチャートである。
【図８】前記室外機の制御例３を示す平面図である。
【図９】制御例３を示すフローチャートである。
【図１０】前記室外機の制御例４を示す平面図である。
【図１１】前記室外機の制御例４を示すフローチャートである。
【図１２】制御例５を示すフローチャートである。
【図１３】制御例６を示すフローチャートである。
【図１４】（ａ）及び（ｂ）は、制御例６において吹出方向を変更した状態をそれぞれ示す断面図である。
【図１５】（ａ）及び（ｂ）は、制御例６において吹出方向を変更した状態をそれぞれ示す断面図である。
【図１６】前記室外機の制御例７を示すフローチャートである。
【図１７】前記室外機の制御例８を示すフローチャートである。
【図１８】室外機の参考例を示す斜視図であり、前面板（外郭）の一部を取り外した状態を示している。
【図１９】図１８の室外機における遮蔽部材の周辺を拡大した斜視図である。
【図２０】図１８の室外機における遮蔽部材の周辺を拡大した正面図である。
【図２１】図１８の室外機における遮蔽部材の周辺を拡大した側面図である。
【図２２】遮蔽部材の取付構造を説明するための斜視図である。
【発明を実施するための形態】
【００２７】
以下、本発明の実施形態について図面を参照しながら詳細に説明する。図１及び図２に示すように、本実施形態の室外機１１は、ケーシング１５、このケーシング１５の内部に収容されたファン１７、熱交換器２５、圧縮機３１、電装品モジュール２９、図略の電動膨張弁、四路切換弁などを備えている。
【００２８】
ケーシング１５は、前面板３１、背面板３３、一対の側板３５，３６、天板３７及び底板３９を有する金属製の筐体である。ケーシング１５の内部は、ケーシング１５の底板３９から上方に立設された図略の仕切り板により左右２つの空間１０１，１０２に分割されている。図１の左側の空間である第１空間１０１には、２つのファン１７、熱交換器２５などが配設されており、図１の右側の空間である第２空間１０２には、圧縮機３１、電装品モジュール２９、図略の電動膨張弁、四路切換弁などが配設されている。
【００２９】
前面板３１は、第１空間１０１の前方を覆う第１前面板３１ａと、第２空間１０２の前方を覆う第２前面板３１ｂとからなる。第１前面板３１ａには空気の吹出口１３が上下に２つ設けられている。背面板３３には２つの吹出口１３に対向する位置に空気の吸込口２７が設けられている。
【００３０】
第１前面板３１ａには、ファン１７によって作り出される風を効率よくケーシング１５の外部に導くために各吹出口１３に嵌め込まれてケーシング１５の内部に位置する一対のベルマウス４５と、各吹出口１３の外側に被せられた一対のグリル４９とが設けられている。各グリル４９は、その両サイドに位置し上下方向に延びる一対の枠４７と、略水平方向に延びる複数のルーバ４３とを有している。一対の枠４７は第１前面板３１ａにそれぞれ固定されている。
【００３１】
各ルーバ４３は、奥行き方向よりも幅方向の方が長く厚みが薄い扁平な長方形状を有している。各ルーバ４３は、隣り合うルーバ４３と所定の間隔をおいて略平行に配置されている。
【００３２】
各ルーバ４３は、幅方向（長手方向）の両端面に図略の軸部をそれぞれ有している。これらの軸部は、前記両端面から幅方向の外側に延び、一対の枠４７に設けられた図略の軸穴に挿通されている。これにより、各ルーバ４３は、軸部を中心に回動可能に一対の枠部４７に支持されている。図２は、各ルーバ４３が略水平方向に向いた状態を示している。この場合、ケーシング１５内の空気は、二点鎖線の矢印で示すように略水平方向に吹出口１３から吹き出される。
【００３３】
各ルーバ４３は、図略のルーバモータの駆動により回動する。前記ルーバモータは、各ルーバ４３に対してそれぞれ設けられ、各ルーバ４３の向きを個別に調節可能な構成であってもよいが、次のような構成であってもよい。すなわち、複数のルーバ４３をいくつかのブロックに分けて一つにブロックに対して一つのルーバモータが接続され、ブロック毎にルーバ４３の向きを調節可能な構成であってもよく、全てのルーバ４３が一つのルーバモータに接続され、全てのルーバ４３の向きを同じ方向に調節する構成であってもよい。
【００３４】
各ルーバ４３の向きを個別に調節可能な構成の場合には、例えば、各ルーバ４３の軸部が図略のルーバモータの軸に直接又は間接的にそれぞれ接続される。これにより、各ルーバ４３はルーバモータの駆動により軸部を中心に回動して向きが調節される。
【００３５】
ブロック毎にルーバ４３の向きを調節可能な構成の場合には、例えば一つのブロックに含まれる複数のルーバ４３が次のように連動する構造を採用することができる。すなわち、例えば一つのブロックに含まれる複数のルーバ４３が、上下方向に延びる棒状の図略の連結部材により連結され、この連結部材の上下方向の動きに連動して同時に回動する構造が挙げられる。この連結部材はルーバモータに接続される。これにより、複数のルーバ４３は、ルーバモータの駆動によりブロック毎に回動して向きが調節される。
【００３６】
全てのルーバ４３の向きを同じ方向に調節する構成の場合にも上記と同様の構造を採用することができる。すなわち、全てのルーバ４３が前記連結部材により連結され、この連結部材がルーバモータに接続される構造が挙げられる。これにより、全てのルーバ４３は、ルーバモータの駆動により同時に回動して向きが調節される。
【００３７】
熱交換器２５は、底板３９の上面から天板３７の下面まで高さ方向に延びるとともに、側板３５の内面から仕切り板の表面まで延びる扁平な形状を有し、第１空間１０１内の背面板３３側に吸込口２７に沿って配置されている。
【００３８】
２つのファン１７のうちの一方は上方側の吹出口１３と熱交換器２５との間に配設され、他方は下方側の吹出口１３と熱交換器２５との間に配設されている。熱交換器２５と各ファン１７との間には天板３７及び底板３９に両端部がそれぞれ固定された支持部材５１が設けられている。
【００３９】
各ファン１７は、支持部材５１に固定されたファンモータ１７ａと、このモータ１７ａの駆動により回転する回転軸１７ｂと、この回転軸１７ｂに取り付けられてベルマウス４５内にその大部分が収容されるように配置された羽根車１７ｃとを有している。各ファン１７は、ファン１７の回転軸１７ｂの軸方向が略水平方向に向くように配置されている。
【００４０】
ファン１７の回転軸１７ｂの軸方向が略水平方向を向いている場合には、図２に示すように各ルーバ４３を略水平方向に向けると、グリル４９を通る空気の流れの抵抗は最も小さくなり、ルーバ４３の方向が略水平方向よりも上方又は下方に向くと、グリル４９を通る空気の流れの抵抗が増加する。したがって、ファン１７の配置が図２に示す形態である場合には、後述する各制御例において吹出方向の基準となる基準方向は、略水平方向とするのがよい。この基準方向に吹出方向を合わせることにより、ファン１７の消費電力の増加を抑制することができる。
【００４１】
なお、ファン１７の回転軸１７ｂの軸方向が例えば斜め上方又は斜め下方に向いている場合、空気の流れの抵抗が最も小さくなるのは、ルーバ４３の向きが回転軸１７ｂの軸方向と同じ方向に向いているときである。したがって、このような場合には、基準方向は、回転軸１７ｂの軸方向とほぼ同じ方向に設定するのが好ましい。
【００４２】
また、室外機１１は、第１前面板３１ａに取り付けられたセンサ１９を備えている。センサ１９は、ケーシング１５の外部における予め定められた範囲の検知空間２００（例えば、後述する図４の二点鎖線で囲まれた範囲）に人が存在するか否かを検知することができる。センサ１９としては、赤外線を利用したタイプ、超音波を利用したタイプなどの種々のセンサを用いることができる。また、複数のタイプのセンサを組み合わせて使用してもよい。赤外線センサとしては、例えば焦電型赤外線センサなどが挙げられる。
【００４３】
また、電装品モジュール２９は、室外機１１の運転制御を行うためのものであり、中央処理装置（ＣＰＵ）、メモリー、入出力回路等を含む制御部３０と、この制御部３０を収容する筐体とを有している。図３に示すように、制御部３０は、圧縮機３１、四路切換弁、ファンモータ１７ａ、電動膨張弁、ルーバモータ等と電気的に接続されており、これらの機器の運転を制御する。また、制御部３０には、センサ１９からの出力される検知結果が入力される。制御部３０は、入力されたセンサ１９の検知結果に基づいて吹出方向の変更要否を判断し、変更が必要と判断したときにはルーバモータを制御して吹出方向を調整する。
【００４４】
以下、本実施形態の室外機１１の制御について制御例を挙げて具体的に説明する。
【００４５】
＜制御例１＞
図４は、室外機１１の制御例１を示す平面図であり、図５は、制御例１を示すフローチャートである。この制御例１では、吹出口１３からの空気の吹出方向の変更要否を判断する基準となる変更条件が、センサ１９により検知空間２００に人が検知されたことを条件としている。基準方向は、ファン１７の回転軸１７ｂの軸方向とほぼ同じ方向である略水平方向に設定されている。前記変更条件及び基準方向は、制御部３０の前記メモリーに記憶されている（後述の制御例２〜８についても同様）。
【００４６】
室外機１１の運転が開始されると、ステップＳ１において、制御部３０は、変更条件を満たすか否か、すなわち検知空間２００内に人が検知されたか否かを判断する。例えば、人が図４の位置Ｐ１に存在する場合などのように検知空間２００内に人が検知されない場合には、制御部３０はステップＳ１の判断を繰り返す。一方、人が例えば図４の位置Ｐ２に移動した場合などのように検知空間２００内に人が検知された場合には、制御部３０はステップＳ２に進む。
【００４７】
ステップＳ２において、制御部３０は、各ルーバ４３の向きを基準方向に対して上方に向ける制御を実行した後、ステップＳ３に進む。図１４（ａ）に示すように、各ルーバ４３の向きが上方に向けられることにより、吹出口１３から吹き出される空気の吹出方向を基準方向よりも上方に向けることができる。
【００４８】
ステップＳ３において、制御部３０は、センサ１９により検知空間２００に人が検知されなくなったか否かを判断する。検知空間２００に依然として人が検知される場合には、制御部３０はステップＳ３の判断を繰り返す。一方、人が例えば図４の位置Ｐ３に移動した場合などのように検知空間２００に人が検知されなくなった場合には、制御部３０はステップＳ４に進む。
【００４９】
ステップＳ４において、制御部３０は各ルーバ４３の向きを基準方向に合わせる（基準方向に戻す）制御を実行した後、ステップＳ１に戻って上記制御を繰り返す。
【００５０】
以上説明したように、制御例１によれば、前記変更条件が満たされていない場合には、ファン１７の消費電力を抑制する予め設定された基準方向に空気の吹出方向が調整される一方で、前記変更条件が満たされている場合には、ルーバ４３により空気の吹出方向が前記基準方向よりも上方又は下方に調整される。したがって、送風量や圧縮機の容量を低下させなくても吹出口１３から吹き出される空気が人に当たるのを抑制できる。したがって、制御例１によれば、消費電力の増加及び空調能力の低下を抑制しつつ、人に対して不快感を与えるのを抑制することができる。
【００５１】
＜制御例２＞
図６は、室外機１１の制御例２を示す平面図であり、図７は、制御例２を示すフローチャートである。この制御例２では、変更条件が、検知空間２００に存在する人から吹出口１３までの基準方向の距離が所定値ｄ０以下であることを条件としてさらに含む点が制御例１と異なっている。本制御例２では、所定値ｄ０を２ｍに設定している。
【００５２】
図６に示すように、本制御例２では、歩道ＳＷに沿った位置に室外機１１が設置されている場合を例に挙げて説明する。この歩道ＳＷの延設方向Ｄに対して吹出方向はほぼ垂直な方向に向いている。また、本制御例２では、図６における歩道ＳＷの位置Ｐ１１から位置Ｐ１２に向かって歩く人が存在する場合、又は位置Ｐ１３から位置Ｐ１４に向かって歩く人が存在する場合を想定する。
【００５３】
室外機１１の運転が開始されると、ステップＳ１１において、制御部３０は、検知空間２００内に人が検知されたか否かを判断する。例えば、人が図６の位置Ｐ１１及び位置Ｐ１３に存在する場合などのように検知空間２００内に人が検知されない場合には、制御部３０はステップＳ１１の判断を繰り返す。位置Ｐ１１にいた人が位置Ｐ１２に移動した場合のように検知空間２００内に人が検知された場合には、制御部３０はステップＳ１２に進む。
【００５４】
ステップＳ１２において、制御部３０は、ステップＳ１１で検知された位置Ｐ１２の人から吹出口１３までの基準方向の距離ｄ１が所定値ｄ０以下であるか否かを判断する。この場合、センサ１９により検知される位置Ｐ１２の人までの距離ｄ１は所定値ｄ０よりも大きいので、制御部３０は、ステップＳ１３に進まずにステップＳ１１に戻る。
【００５５】
位置Ｐ１２の人までの前記距離ｄ１は、例えば次のようにして算出することができる。すなわち、センサ１９により位置Ｐ１２が特定されると、センサ１９と位置Ｐ１２を結ぶ直線と、基準方向との角度が算出できる。得られた角度がわかれば、三角法により前記基準方向の距離ｄ１が算出できる。後述する距離ｄ２についても同様である。
【００５６】
一方、ステップＳ１１において、位置Ｐ１３にいた人が位置Ｐ１４に移動した場合のように検知空間２００内に人が検知された場合には、制御部３０は上記と同様にステップＳ１２に進む。ステップＳ１２において、制御部３０は、ステップＳ１１で検知された位置Ｐ１４の人から吹出口１３までの基準方向の距離ｄ２が所定値ｄ０以下であるか否かを判断する。この場合、センサ１９により検知される位置Ｐ１４の人までの距離ｄ２は所定値ｄ０よりも大きいので、制御部３０は、ステップＳ１３に進む。
【００５７】
ステップＳ１３において、制御部３０は、各ルーバ４３の向きを基準方向に対して上方に向ける制御を実行した後、ステップＳ１４に進む。
【００５８】
ステップＳ１４において、制御部３０は、センサ１９により検知空間２００内であって、吹出口１３からの距離が所定値ｄ０以下の範囲内に人が検知されなくなったか否かを判断する。この範囲内に依然として人が検知される場合には、制御部３０はステップＳ１４の判断を繰り返す。一方、人が位置Ｐ１４から位置Ｐ１５に移動した場合などのように前記範囲内に人が検知されなくなった場合には、制御部３０はステップＳ１５に進む。
【００５９】
ステップＳ１５において、制御部３０は各ルーバ４３の向きを基準方向に合わせる（基準方向に戻す）制御を実行した後、ステップＳ１１に戻って上記制御を繰り返す。
【００６０】
以上説明したように、制御例２によれば、センサ１９が予め定められた範囲の空間２００に人を検知した場合であっても、基準方向の距離が所定値ｄ０を超える場合には、制御部３０は変更条件を満たさないとして吹出方向を変更しないように制御するので、吹出方向の変更の頻度を抑制して消費電力抑制効果をより高めることができる。
【００６１】
＜制御例３＞
図８は、室外機１１の制御例３を示す平面図であり、図９は、制御例３を示すフローチャートである。この制御例３では、変更条件が、吹出口１３に近づく人が存在することを条件としてさらに含む点が制御例１と異なっている。
【００６２】
図８に示すように、本制御例３では、歩道ＳＷに沿った位置に室外機１１が設置されており、この歩道ＳＷの位置Ｐ２１から位置Ｐ２２に向かって歩く人が存在する場合、位置Ｐ２４から位置Ｐ２５に向かって歩く人が存在する場合、又は位置Ｐ２７から位置Ｐ２８に向かって歩く人が存在する場合を想定する。
【００６３】
まず、位置Ｐ２１から位置Ｐ２２に向かって歩く人が存在する場合について説明する。この人の移動方向は、歩道ＳＷの延設方向Ｄとほぼ平行な方向である。
【００６４】
室外機１１の運転が開始されると、ステップＳ２１において、制御部３０は、検知空間２００内に人が検知されたか否かを判断する。検知空間２００内に人が検知されない場合には、制御部３０はステップＳ２１の判断を繰り返す。一方、人が例えば図８の位置Ｐ２１に存在する場合のように検知空間２００内に人が検知された場合には、制御部３０は、センサ１９から位置Ｐ２１までの距離ｄ２１をセンサ１９により計測し、この距離ｄ２１のデータを前記メモリーに記憶する制御を実行してステップＳ２２に進む。
【００６５】
ステップＳ２２において、制御部３０は、ステップＳ２１において検知された人が、検知されてから所定時間ｔ１が経過した後の位置Ｐ２２をセンサ１９により検知してセンサ１９から位置Ｐ２２までの距離ｄ２２を計測し、この距離ｄ２２のデータを前記メモリーに記憶する制御を実行してステップＳ２３に進む。
【００６６】
ステップＳ２３において、制御部３０は、ステップＳ２１及びＳ２２における検知結果に基づいて人の動きを判別することにより、この人が吹出口１３に近づいているか否かを判断する。具体的には、制御部３０は、ステップＳ２１及びＳ２２において検知された距離ｄ２１及び距離ｄ２２を比較して、移動後の距離ｄ２２が移動前の距離ｄ２１以下である場合には、この人が吹出口１３に近づいていると判断し、移動後の距離ｄ２２が移動前の距離ｄ２１よりも大きい場合には、この人が吹出口１３から遠ざかっていると判断する。制御部３０は、ステップＳ２３において、人が吹出口１３に近づいていると判断した場合には、ステップＳ２４に進み、人が吹出口１３から遠ざかっていると判断した場合には、ステップＳ２１に戻り、上記した制御を繰り返す。
【００６７】
ステップＳ２４において、制御部３０は、各ルーバ４３の向きを基準方向に対して上方に向ける制御を実行した後、ステップＳ２５に進む。
【００６８】
ステップＳ２５において、制御部３０は、センサ１９により検知空間２００に人が検知されなくなったか否かを判断する。検知空間２００に依然として人が検知される場合には、制御部３０はステップＳ２５の判断を繰り返す。一方、検知空間２００に人が検知されなくなった場合には、制御部３０はステップＳ２６に進む。
【００６９】
ステップＳ２６において、制御部３０は各ルーバ４３の向きを基準方向に合わせる（基準方向に戻す）制御を実行した後、ステップＳ２１に戻って上記制御を繰り返す。
【００７０】
次に、本制御例３において、図８に示すように位置Ｐ２４から位置Ｐ２５に向かって歩く人が存在する場合について説明する。この人の移動方向は、歩道ＳＷの延設方向Ｄに対して室外機１１とは反対側に傾斜した方に向いている。
【００７１】
この場合、上記と同様にしてステップＳ２１及びＳ２２においてセンサ１９から位置Ｐ２４までの距離ｄ２４及びセンサ１９から位置Ｐ２５までの距離ｄ２５が計測されて前記メモリーにそれぞれ記憶される。そして、ステップＳ２３において、制御部３０は、ステップＳ２１及びＳ２２における検知結果である距離ｄ２４及び距離ｄ２５に基づいて人の動きを判別することにより、この人が吹出口１３に近づいているか否かを判断する。
【００７２】
本制御例３では、センサ１９からの距離を比較して人が吹出口１３に近づいているか否かを判断するので、人が位置Ｐ２４から位置Ｐ２５へ移動するような動きをする場合、すなわち人の移動方向が歩道ＳＷの延設方向Ｄに対して室外機１１とは反対側に傾斜した方に向いている場合であっても、移動後の距離ｄ２５が移動前の距離ｄ２４以下となることもある。図８に示す位置Ｐ２４から位置Ｐ２５への動きの場合、移動後の距離ｄ２５が移動前の距離ｄ２４以下となるので、制御部３０は、この人が吹出口１３に近づいていると判断し、ステップＳ２４に進む。以下のステップＳ２４〜Ｓ２６については上記と同様であるので、説明を省略する。
【００７３】
次に、本制御例３において、図８に示すように位置Ｐ２７から位置Ｐ２８に向かって歩く人が存在する場合について説明する。この人の移動方向は、位置Ｐ２４から位置Ｐ２５への移動の場合と同様に、歩道ＳＷの延設方向Ｄに対して室外機１１とは反対側に傾斜した方に向いている。
【００７４】
この場合、上記と同様にしてステップＳ２１及びＳ２２においてセンサ１９から位置Ｐ２７までの距離ｄ２７及びセンサ１９から位置Ｐ２８までの距離ｄ２８が計測されて前記メモリーにそれぞれ記憶される。そして、ステップＳ２３において、制御部３０は、ステップＳ２１及びＳ２２における検知結果である距離ｄ２７及び距離ｄ２８に基づいて人の動きを判別することにより、この人が吹出口１３に近づいているか否かを判断する。
【００７５】
人が位置Ｐ２７から位置Ｐ２８へ移動するような動きをする場合、移動後の距離ｄ２８が移動前の距離ｄ２７よりも大きくなるので、制御部３０は、この人が吹出口１３から遠ざかっていると判断し、ステップＳ２４には進まずにステップＳ２１に戻り、上記制御を繰り返す。
【００７６】
以上説明したように、制御例３によれば、吹出口１３に近づく人を検知して、この人が吹出口１３に最接近する前に吹出方向を予め調整しておくことができる。これにより、人に対して不快感を与えるのを抑制する効果がより高められる。また、センサ１９により人が検知された場合であっても、この人が吹出口１３から遠ざかっていると判断された場合には、吹出方向を変更する制御を実行しない。すなわち、吹出方向の変更の必要性が低い場合には吹出方向の変更をせず、変更の頻度を低く抑えることができる。これにより、消費電力抑制効果をさらに高めることができる。
【００７７】
＜制御例４＞
図１０は、室外機１１の制御例４を示す平面図であり、図１１は、室外機１１の制御例４を示すフローチャートである。この制御例４では、変更条件が、吹出口１３から吹き出される空気が届く空間２０１内に人が到達することを条件としてさらに含む点が制御例１と異なっている。制御部３０の前記メモリーには、吹出口１３から基準方向に吹き出される空気が届く空間２０１のデータが風量に対応して複数記憶されている。
【００７８】
図１０に示すように、本制御例４では、制御例３と同様の状況を想定する。すなわち本制御例４では、歩道ＳＷに沿った位置に室外機１１が設置されており、この歩道ＳＷの位置Ｐ２１から位置Ｐ２２に向かって歩く人が存在する場合、位置Ｐ２４から位置Ｐ２５に向かって歩く人が存在する場合、又は位置Ｐ２７から位置Ｐ２８に向かって歩く人が存在する場合を想定する。
【００７９】
まず、位置Ｐ２１から位置Ｐ２２に向かって歩く人が存在する場合について説明する。
【００８０】
ステップＳ３１は、制御例３のステップＳ２１と同様の制御である。ステップＳ３１において、制御部３０は、図１０の検知空間２００内の位置Ｐ２１に人が検知された場合には、その位置データを前記メモリーに記憶する制御を実行してステップＳ３２に進む。
【００８１】
ステップＳ３２において、制御部３０は、ステップＳ３１において検知された人が、検知されてから所定時間ｔ１が経過した後の位置Ｐ２２をセンサ１９により検知し、その位置データを前記メモリーに記憶する制御を実行してステップＳ３３に進む。
【００８２】
ステップＳ３３において、制御部３０は、ステップＳ３１及びＳ３２で得られた２つの位置データからこの人の移動方向Ａ１を算出し、ステップＳ３４に進む。
【００８３】
ステップＳ３４において、制御部３０は、ステップＳ３３で算出された移動方向Ａ１に基づいて、この人が、前記空気が届く空間２０１に到達するか否かを判断する。具体的には、制御部３０は、位置Ｐ２２の人が移動方向Ａ１に進んだ場合に前記空間２０１に到達するか否かを判断する。制御部３０は、人が位置Ｐ２１から位置Ｐ２２へ移動する動きをする場合のように前記人が空間２０１に到達すると判断した場合にはステップＳ３５に進む。一方、制御部３０は、前記人が空間２０１に到達しない（空間２０１の範囲外の経路を進む）と判断した場合にはステップＳ３１に戻り、上記制御を繰り返す。
【００８４】
位置Ｐ２２の人が空間２０１に到達するか否かは、例えば次のようにして判断する。すなわち、位置Ｐ２１から位置Ｐ２２に移動した人は移動方向Ａ１に向かってこのまま直進すると仮定し、位置Ｐ２２から移動方向Ａ１に向かう直線が、空間２０１を通るか否かを判別すればよい。後述する位置Ｐ２４及び位置Ｐ２７の人の場合も同様である。
【００８５】
ステップＳ３５において、制御部３０は、各ルーバ４３の向きを基準方向に対して上方に向ける制御を実行した後、ステップＳ３６に進む。
【００８６】
ステップＳ３６において、制御部３０は、センサ１９により検知空間２００に人が検知されなくなったか否かを判断する。検知空間２００に依然として人が検知される場合には、制御部３０はステップＳ３６の判断を繰り返す。一方、検知空間２００に人が検知されなくなった場合には、制御部３０はステップＳ３７に進む。
【００８７】
ステップＳ３７において、制御部３０は各ルーバ４３の向きを基準方向に合わせる（基準方向に戻す）制御を実行した後、ステップＳ３１に戻って上記制御を繰り返す。
【００８８】
次に、本制御例３において、図１０に示すように位置Ｐ２４から位置Ｐ２５に向かって歩く人が存在する場合について説明する。
【００８９】
この場合、上記と同様にしてステップＳ３１〜Ｓ３３において位置Ｐ２４及び位置Ｐ２５の位置データが前記メモリーに記憶され、これらのデータに基づいてこの人の移動方向Ａ２が算出される。
【００９０】
ステップＳ３４において、制御部３０は、移動方向Ａ２に基づいて、この人が、前記空気が届く空間２０１に到達するか否かを判断する。制御部３０は、人が位置Ｐ２４から位置Ｐ２５へ移動する動きをする場合のように前記人が空間２０１に到達しないと判断した場合にはステップＳ３１に戻り、上記制御を繰り返す。
【００９１】
このように、例えば人が位置Ｐ２４から位置Ｐ２５へ移動する動きをする場合については、前述した制御例３では変更条件を満たしていると判断されるが、本制御例４では、より厳密な変更条件に基づいているので、変更条件を満たしていないと判断される。したがって、制御例３と比較すると、本制御例４では、過剰な又は不要なルーバ４３の向きの制御が行われるのを抑制して消費電力の抑制効果をより高めることができる。
【００９２】
以上説明したように、制御例４によれば、空気が届く空間２０１内に人が到達するか否かの予測に基づいて吹出方向の変更要否を判断するので、吹出方向の変更をその必要性が高い場合に絞って変更の頻度を低く抑えることができる。これにより、消費電力抑制効果をさらに高めることができる。
【００９３】
＜制御例５＞
図１２は、室外機１１の制御例５を示すフローチャートである。この制御例５では、検知された人が空気の届く空間２０１内に到達するまでの時間ｔ２及び空間２０１から出るまでの時間ｔ３に基づいてルーバの向きを変更する点が制御例４と異なっている。
【００９４】
図１２に示すように、ステップＳ４１〜Ｓ４３は、図１１のステップＳ３１〜Ｓ３３と同様であるので、説明を省略する。
【００９５】
ステップＳ４４において、制御部３０は、ステップＳ４１及びＳ４２で得られた２つの位置データからこの人の移動速度Ｖを算出し、ステップＳ４５に進む。
【００９６】
ステップＳ４５において、制御部３０は、図１０に示すように人が位置Ｐ２１から位置Ｐ２２へ移動する動きをする場合のように前記人が空間２０１に到達すると判断した場合にはステップＳ４６に進む。一方、制御部３０は、人が位置Ｐ２４から位置Ｐ２５へ移動する動きをする場合、位置Ｐ２７から位置Ｐ２８へ移動する動きの場合のように前記人が空間２０１に到達しないと判断した場合にはステップＳ４１に戻り、上記制御を繰り返す。
【００９７】
ステップＳ４６において、制御部３０は、位置Ｐ２４のデータ、移動方向Ａ１のデータ、移動速度Ｖのデータ、及び空間２０１のデータに基づいて、前記人が空間２０１内に到達するまでの時間ｔ２、及び空間２０１から出るまでの時間ｔ３を算出する制御を実行し、算出された時間ｔ２，ｔ３のデータを前記メモリーに記憶し、ステップＳ４７に進む。
【００９８】
ステップＳ４７において、制御部３０は、前記到達するまでの時間ｔ２が経過する前に各ルーバ４３の向きを基準方向に対して上方に向ける制御を実行した後、ステップＳ４８に進む。
【００９９】
ステップＳ４８において、制御部３０は、前記人が空間２０１から出るまでの時間ｔ３が経過したか否かを判断する。制御部３０は、時間ｔ３が経過している場合にはステップＳ４９に進み、時間ｔ３が経過していない場合にはステップＳ４８の判断を繰り返す。
【０１００】
ステップＳ４９において、制御部３０は、各ルーバ４３の向きを基準方向に合わせる（基準方向に戻す）制御を実行した後、ステップＳ４１に戻って上記制御を繰り返す。
【０１０１】
以上説明したように、制御例５によれば、吹出口１３から吹き出される空気が届く空間２０１内に人が到達する前に吹出方向が調整されるので、人に対して不快感を与えるのを抑制する効果がさらに高められる。
【０１０２】
＜制御例６＞
図１３は、制御例６を示すフローチャートであり、図１４（ａ），（ｂ）及び図１５（ａ），（ｂ）は、制御例６における吹出方向を変更した状態をそれぞれ示す断面図である。
【０１０３】
この制御例６では、センサ１９が検知空間２００に存在する人の顔の位置を検知可能であり、検知された人の顔の位置に基づいてルーバの向きを変更する点が制御例１と異なっている。
【０１０４】
室外機１１の運転が開始されると、ステップＳ５１において、制御部３０は、検知空間２００内に人が検知されたか否かを判断する。例えば、人が図４の位置Ｐ１に存在する場合などのように検知空間２００内に人が検知されない場合には、制御部３０はステップＳ１の判断を繰り返す。一方、人が例えば図４の位置Ｐ２に移動した場合などのように検知空間２００内に人が検知された場合には、制御部３０はステップＳ５２に進む。
【０１０５】
ステップＳ５２において、制御部３０は、位置Ｐ２の人の顔の高さを計測し、この高さのデータを前記メモリーに記憶する制御を実行してステップＳ５３に進む。ここで、顔の高さは、例えば次のようにして計測された値とすることができる。すなわち、図１４（ａ），（ｂ）に示すように、センサ１９が検知した人の最も高い位置までの高さｈを近似的に顔の高さとしてもよく、また、この高さｈから予め定められた補正値Δｈを引いた値ｈ１を顔の高さとしてもよい。
【０１０６】
ステップＳ５３において、制御部３０は、検知された人の顔の高さのデータに基づいてルーバ４３の向きを変更する制御を実行し、ステップＳ５４に進む。図１４（ａ）に示すように、検知された人が比較的小柄な体格である場合、吹出口１３から吹き出される空気がこの人の顔に当たるのを抑制するには、例えば全てのルーバ４３を基準方向よりも上方に向けるとよい。また、図１４（ｂ）に示すように、検知された人が比較的大柄な体格である場合、吹出口１３から吹き出される空気がこの人の顔に当たるのを抑制するには、例えば全てのルーバ４３を基準方向よりも下方に向けるとよい。
【０１０７】
また、ルーバ４３毎にその向きを変更可能な構成である場合には、次のような制御を実行してもよい。すなわち、図１５（ａ）に示すように、検知された人が比較的小柄な体格である場合、吹出口１３から吹き出される空気がこの人の顔に当たるのを抑制するには、例えば、２つの吹出口１３のうち上側の吹出口１３に取り付けられた各ルーバ４３を基準方向よりも上方に向け、下側の吹出口１３に取り付けられた各ルーバ４３を基準方向よりも下方に向ける。また、図１５（ａ）の場合、下側の吹出口１３の各ルーバ４３を基準方向に向けたままとし、上側の吹出口１３の各ルーバ４３のみを上記のように基準方向よりも上方に向けてもよい。
【０１０８】
また、図１５（ｂ）に示すように、検知された人が比較的大柄な体格である場合、例えば、上側の吹出口１３の取り付けられた複数のルーバ４３のうち、顔の高さｈ（又はｈ１）と同程度の位置に配置されている複数のルーバ４３（図１５（ｂ）では５つのルーバ４３）を基準方向よりも上方に向け、その他のルーバ４３を基準方向に向けたままとしてもよい。
【０１０９】
ステップＳ５４において、制御部３０は、センサ１９により検知空間２００に人が検知されなくなったか否かを判断する。検知空間２００に依然として人が検知される場合には、制御部３０はステップＳ５４の判断を繰り返す。一方、人が例えば図４の位置Ｐ３に移動した場合などのように検知空間２００に人が検知されなくなった場合には、制御部３０はステップＳ５５に進む。
【０１１０】
ステップＳ５５において、制御部３０は各ルーバ４３の向きを基準方向に合わせる（基準方向に戻す）制御を実行した後、ステップＳ５１に戻って上記制御を繰り返す。
【０１１１】
以上説明したように、制御例６によれば、人の体格を考慮に入れ、特に不快に感じやすい顔に空気が当たりにくいように制御を行うことができるので、人に対して不快感を与えるのを抑制する効果がさらに高められる。
【０１１２】
また、人の体格を考慮に入れ、かつ、各ルーバ４３の向きを個別に調整する場合には、人の体格、特に人の顔の位置に基づいたよりきめ細かい制御を行うことができる。そして場合によっては複数のルーバ４３のうちの一部のルーバ４３の向きを調整するだけで吹出口１３から吹き出される空気が人の顔に当たるのを抑制できる。これにより、人に対して不快感を与えるのを抑制するのに必要な一部のルーバ４３の向きを調整する一方で、残りのルーバ４３は空気が基準方向に吹き出される向きのままに維持されるので、消費電力の抑制効果をさらに高めることができる。
【０１１３】
＜制御例７＞
図１６は、室外機１１の制御例７を示すフローチャートである。この制御例７では、変更条件が、センサ１９による単位時間当たりの人の検知数が所定値以下であることを条件としてさらに含む点で制御例１と異なっている。本制御例７に用いる室外機１１の制御部３０は、時刻のデータを得ることができる時計機能を有している。また、本制御例７では、単位時間当たりの検知人数の基準となる所定値が例えば５人／分に設定されている。
【０１１４】
室外機１１の運転が開始されると、ステップＳ６１において、制御部３０は、検知空間２００内に人が検知されたか否かを判断する。制御部３０は、検知空間２００内に人が検知されない場合にはステップＳ６１の判断を繰り返し、検知空間２００内に人が検知された場合にはステップＳ６２に進む。
【０１１５】
ステップＳ６２において、制御部３０は、ステップＳ６１で人が検知された時刻を前記メモリーに記憶してステップＳ６３に進む。
【０１１６】
ステップＳ６３において、制御部３０は、直近に検知された人の検知時刻とこの時刻よりも１分前の時刻との間の１分間に検知された人数に基づいて、１分間当たりの検知人数を算出してステップＳ６４に進む。
【０１１７】
ステップＳ６４において、制御部３０は、１分間当たりの検知人数が前記所定値（５人／分）以下であるか否かを判断する。制御部３０は、１分間当たりの検知人数が前記所定値以下である場合にはステップＳ６５に進み、１分間当たりの検知人数が前記所定値を超えている場合にはステップＳ６１に戻り、上記制御を繰り返す。
【０１１８】
ステップＳ６５〜Ｓ６７については、制御例１のステップＳ２〜Ｓ４と同様の制御であるので説明を省略する。
【０１１９】
以上説明したように、制御例７によれば、単位時間当たりの人の検知数が所定値を超える場合には吹出方向の変更を行わないように制御するので、過剰な又は不要な制御が行われるのを抑制して消費電力の抑制効果をより確実に得ることができる。
【０１２０】
＜制御例８＞
図１７は、室外機１１の制御例８を示すフローチャートである。この制御例８では、変更条件が、１日のうちで予め定められた時間帯であることを条件としてさらに含む点で制御例１と異なっている。本制御例８に用いる室外機１１の制御部３０は、時刻のデータを得ることができる時計機能を有している。また、本制御例では、前記時間帯が例えばＡＭ１０時〜ＰＭ４時、及びＰＭ１０時〜ＡＭ６時に設定されている。
【０１２１】
室外機１１の運転が開始されると、ステップＳ７１において、制御部３０は、検知空間２００内に人が検知されたか否かを判断する。制御部３０は、検知空間２００内に人が検知されない場合にはステップＳ７１の判断を繰り返し、検知空間２００内に人が検知された場合にはステップＳ７２に進む。
【０１２２】
ステップＳ７２において、制御部３０は、その時点での時刻が前記時間帯に含まれるか否かを判断する。制御部３０は、現在の時刻が前記時間帯に含まれる場合にはステップＳ７３に進み、現在の時刻が前記時間帯に含まれない場合にはステップＳ７１に戻り、上記制御を繰り返す。
【０１２３】
ステップＳ７３〜Ｓ７５については、制御例１のステップＳ２〜Ｓ４と同様の制御であるので説明を省略する。
【０１２４】
以上説明したように、制御例８によれば、例えば通行人の多いラッシュ時間帯などを除く時間帯であることを変更条件に含めることにより、過剰な又は不要な制御が行われるのを抑制して消費電力の抑制効果をより確実に得ることができる。
【０１２５】
なお、本発明は、前記実施形態に限られるものではなく、その趣旨を逸脱しない範囲で種々変更、改良等が可能である。例えば、前記実施形態では、２つのファンを有する室外機を例に挙げて説明したが、これに限定されない。室外機は、例えばファンが１つのタイプであってもよく、３つ以上のファンを有するものであってもよい。
【０１２６】
また、前記実施形態では、ファンがプロペラファンである場合を例に挙げたが、これに限定されず、ターボファンなどの他のファンを用いることもできる。
【０１２７】
＜参考例＞
図１８は、参考例の室外機を示す斜視図であり、前面板（外郭）の一部を取り外した状態を示している。図１９は図１８における遮蔽部材９３の周辺を拡大した斜視図であり、図２０はその正面図であり、図２１はその側面図である。図２２は、遮蔽部材９３の取付構造を説明するための斜視図である。
【０１２８】
図１８に示すように、この室外機８１は、ケーシング８２、このケーシング８２の内部に収容された電装品モジュール８８、図略の圧縮機、電動膨張弁、ファン、熱交換器などを備えている。ケーシング８２は、前面板８３、背面板、右側板８４、左側板、天板８５及び底板を有する金属製の筐体である。ケーシング８２の内部は、ケーシング８２の底板７９から上方に立設された仕切り板８６により左右２つの空間に分割されている。ケーシング８２内の左側の空間には、前記ファン、前記熱交換器などが配設されている。ケーシング８２内の右側の空間８７には電装品モジュール８８、前記圧縮機、前記電動膨張弁、閉鎖弁９６，９７、端子台９８，９９などが配設されている。
【０１２９】
前面板８３は、左側の空間の前方を覆う第１前面板８３ａと、右側の空間８７の前方を覆う第２前面板８３ｂとからなる。第１前面板８３ａには、前記ファンによって作り出される風をケーシング８２の外部に吹き出す吹出口が設けられている。また、第１前面板８３ａは、前記吹出口を覆う網状のグリル９２を有している。
【０１３０】
第２前面板８３ｂは、高さ方向及び幅方向のほぼ中央付近に開口部を有している。この開口部には把手９４が嵌合された状態で取り付けられている。この把手９４と同形状のものが、ケーシング８２の背面板に設けられた開口部にも嵌合された状態で取り付けられている。
【０１３１】
この把手９４は、作業者が手を挿入する挿入口を前方側に有し、挿入された手の平を挿入口の上縁に当てて挿入された指を上方に配置することができるように、挿入口から背面側及び上方に向かって延びる空間を有している。この把手９４は例えば合成樹脂などにより形成されている。
【０１３２】
図１９〜２４には、把手９４と遮蔽部材９３の位置関係を説明するために、第２前面板８３ｂがケーシング８２の一部として所定の位置に取り付けられたときに把手９４が位置するところに把手９４を描いている。図１９〜２４に示すように、把手９４の背面側には閉鎖弁９６，９７を支持するための支持部材９５が配置されている。この支持部材９５は、板金加工により成形された横長の板状の部材であり、一方の端部が第１前面板８３ａの右側縁部にねじ止めされて固定されており、他方の端部が右側板８４の前方の縁部に固定されている。図２１，２４に示すように、この支持部材９５は、ボルトが挿入される穴９６ａ，９７ａを有している。閉鎖弁９６，９７は、穴９６ａ，９７ａの前方側に配置され、これらの穴９６ａ，９７ａに挿入されるボルトにより固定される。
【０１３３】
また、把手９４の背面側の上部には支持部材９１に支持された端子台９８，９９が配置されている。これらの端子台９８，９９には図略の電気配線が接続される。端子台９８，９９の下部には電気配線が挿通される挿入部８９を有する板状部材９０が配置されている。この板状部材９０は、端子台９８，９９の下部から前方に向かって延設されている。端子台９８，９９に接続された電気配線は、挿入部８９に通されて支持部材９５の背面側に配設される。
【０１３４】
把手９４と支持部材９５の間には、遮蔽部材９３が介在している。この遮蔽部材９３は、把手９４の背面側に位置する主面部９３ａと、この主面部９３ａの周縁部からそれぞれ延設された下延設部９３ｂ、右延設部９３ｃ、上延設部９３ｄ、及び左延設部９３ｅとを有している。
【０１３５】
下延設部９３ｂは、主面部９３ａの下縁から前方に延設され、把手９４の下部の一部を覆っている。右延設部９３ｃは、主面部９３ａの右縁から前方に延設され、把手９４の右側部の一部を覆っている。上延設部９３ｄは、主面部９３ａの上縁から前方に延設され、把手９４の上部の一部を覆っている。左延設部９３ｄは、主面部９３ａの上方側の左縁から前方に延設され、把手９４の左側部の一部を覆っている。
【０１３６】
左延設部９３ｄのさらに左側には、ボルト９３ｇが挿入される図略の穴を有する固定片９３ｆが延設されている。この固定片９３ｆの前記穴と支持部材９５に設けられた図略の穴にボルト９３ｇが挿通されることにより、遮蔽部材９３が支持部材９５に固定される。また、図２２に示すように、遮蔽部材９３の主面部９３ａの背面には、支持部材９５が遮蔽部材９３を支持するための係合部材９３ｈが固定されている。この係合部材９３ｈは、Ｕ字の形状に折り曲げられた金属片からなる。この係合部材９３ｈの一方の端部側が主面部９３ａの背面に固定され、係合部材９３ｈの他方の端部側が支持部材９５の上縁に引っかけられることにより、遮蔽部材９３が支持部材９５に支持されている。
【符号の説明】
【０１３７】
１１  室外機
１３  吹出口
１５  ケーシング
１７  ファン
１９  センサ
２５  熱交換器
２７  吸込口
２９  電装品モジュール
３０  制御部
３１  圧縮機
４３  ルーバ
【図１】
2011038668.tif 000003
【図２】
2011038668.tif 000004
【図３】
2011038668.tif 000005
【図４】
2011038668.tif 000006
【図５】
2011038668.tif 000007
【図６】
2011038668.tif 000008
【図７】
2011038668.tif 000009
【図８】
2011038668.tif 000010
【図９】
2011038668.tif 000011
【図１０】
2011038668.tif 000012
【図１１】
2011038668.tif 000013
【図１２】
2011038668.tif 000014
【図１３】
2011038668.tif 000015
【図１４】
2011038668.tif 000016
【図１５】
2011038668.tif 000017
【図１６】
2011038668.tif 000018
【図１７】
2011038668.tif 000019
【図１８】
2011038668.tif 000020
【図１９】
2011038668.tif 000021
【図２０】
2011038668.tif 000022
【図２１】
2011038668.tif 000023
【図２２】
2011038668.tif 000024